(57)【要約】      （修正有）【課題】  ペットボトルの口部にねじ込み、冷蔵庫に収納した状態で冷蔵庫のドアを開けたままコップにペットボトルの冷えた飲料を注ぎ込むことの出来るペットボトル用ポンプの提供。【解決手段】スイッチ３を介在して接続する乾電池４によって駆動されるモーター２を備え、ペットボトルＡの口部Ａａに差込んだ吸込みパイプ１の先端に、吸込み口８のついた小形でなる吸込み筒体９を直結し、その吸込み筒体９の内部にモーター２からベルト２ａなどの伝達手段によって回動伝達可能にした連結体１１で回動される羽根車１０を設け、羽根車１０の回動によって吸込み筒体９に設けた吸込み口８から吸込まれた飲料Ｂが吸込みパイプ１を通過し略９０°方向転換の通路体１２を通り抜けてチューブ状の第２通路体１３を通過してその端子に接続した注出口５から飲料Ｂを排出する構成である。【選択図】  図１
2005042691.tif 000002
【特許請求の範囲】
【請求項１】
ペットボトル（Ａ）のの口部（Ａａ）に差込んだ吸込みパイプ（１）から飲料（Ｂ）を吸込み可能な羽根車（１０）を回動するモーター（２）とそれにスイッチ（３）を介在して接続する乾電池（４）と、吸込みパイプ（１）に連結する注出口（５）を具備する蓋（ｂ）付きでの有底（７ａ）付ケース本体（７）の中央部でペットボトル（Ａ）の口部（Ａａ）にネジ式係合自在にしてなるペットボトル用ポンプにおいて、前記吸込みパイプ（１）の端子の開口部にペットボトル（Ａ）の口部（Ａａ）に挿入自在でなり、底に吸込み口（８）を設けた小形でなる吸込み筒体（９）を一体化し、その吸込み筒体（９）の内部に回動自在な飲料（Ｂ）を吸込むための羽根車（１０）単体が前記するモーター（２）の回転軸に同期して回動する連結体（１１）を吸込みパイプ（１）の中空部（１ａ）を貫通して設け、その端部（１１ａ）がベルト（２ａ）などの伝達手段によって双方が連結されて回動伝達可能にし、羽根車（１０）の回動によって吸込み筒体（９）に設けた吸込み口（８）から吸込まれた飲料（Ｂ）が、吸込みパイプ（１）を通過し、略９０°方向転換の第１通路体（１２）を通り抜けてチューブ状の第２通路体（１３）を通過してその端子に接続した注出口（５）から飲料（Ｂ）を排出可能にしたことを特徴とする冷蔵庫収容ままにつかえるペットボトル用ポンプ。
【請求項２】
前記する注出口（５）を設けた第１通路体（１２）に直結する第２通路体（１３）は弾力性のあるチューブにし、その第２通路体（１３）をやや傾斜（Ｑ）させて、ペットボトル（Ａ）の口部（Ａａ）にねじ込み自在のケース本体（７）の有底（７ａ）の面上（７ｂ）に配設し、飲料（Ｂ）の注出が終わった時点で注出口（５）の第２通路体（１３）の飲料（Ｂ）が第１通路体方向に逆流可能にしたことを特徴とする請求項１記載の冷蔵庫収容ままに使えるペットボトル用ポンプ。
【請求項３】
前記する吸い込みパイプ（１）の端子に直結する吸込み筒体（９）との間に弾力性でなるチューブ体（１４）を屈曲自在に設け、そのチューブ体（１４）の中空部（１ａ）をこれまた屈曲自在の密着巻でのコイルスプリング（１５）を連結体（１１）に接続して回動する羽根車（１０）との中間に設けたことを特徴とする冷蔵庫収容ままに使えるペットボトボトル用ポンプ。
【請求項４】
前記する弾力性のあるチューブでなる第２通路体（１３）の端子に結合する注出口（５）は、ケース本体（７）の有底（７ａ）面上（７ｂ）に設けてなる蓋（６）のサイドにヒンジ部（６ａ）を介在して折り曲げ自在の注出口蓋（６ｂ）が、注出口（５）の側面と接合可動し、その注出口蓋（６ｂ）を水平状態から略９０°折り曲げ時、これらの注出口蓋（６ｂ）と注出口（５）の双方の動きが、弾力性のあるロックスナップ（１６）などのロック手段によって注出口（５）がロックし、ロック解除によって略９０°の折り曲げが第２通路体（１３）のもつ復元力によって自立して水平状態にしたことを特徴とする請求項１項２項又は請求項３記載の冷蔵庫収容ままに使えるペットボトル用ポンプ。
【請求項５】
前記する第２通路体（１３）の端子に結合する注出口（５）の開口部からの飲料（Ｂ）をコップに注ぎ込むのに、その利用するコップ側面の押し圧によってケース本体（７）に具備するスイッチ（３）に連動するスイッチノブ（３ａ）の動きがスイッチ（３）を閉成体可能にして飲料（Ｂ）をコップを持ったままで吸上げを可能にスイッチノブ（３ａ）を注出口（５）に隣接してケース体（７）の側面に露出したことを特徴とする請求項１．２．３又は４記載の冷蔵庫収容ままに使えるペットボトル用ポンプ。
【発明の詳細な説明】
【発明の詳細な説明】
【産業上の利用分野】
【０００１】この発明は、ペットボトルに入っている飲料を吸上げる乾電池式のポンプに関する。詳しくは、ペットボトルの飲料を冷蔵庫に入れて冷やした状態で、ペットボトルを冷蔵庫から取出さずにコップに注ぎ出せる冷蔵庫収容ままに使えるペットボトル用ポンプに関する。
【背景技術】
【０００２】此の種の従来技術として、図５で示すような電池式ポンプで灯油などを汲み取るのに使わている灯油用給油ポンプが一般的に知られる。
即ち、筒状のケース体７’に乾電池４’が内設し、スイッチ３’のスイッチノブ３ａ’がケース本体７’の外部に露出して夫々が配線される。【０００３】そして、これらの乾電池４’をメンテナンスのための取り外し自在の蓋６’が設けてある。これらの乾電池４’と羽根車１０’付きでのモーター２’との配線用のリード線１０１が、灯油容器の口部にさし込まれて灯油を汲取るための中空状１ａ’でなる吸込みパイプ１’の中を通ってそのパイプ１’の先端にモーター２’の主軸に羽根車１０’が固定されたモーターポンプに配線されて、吸込みパイプ１’の端子に吸込み口８’の開口部を設け吸込み筒体９’の中に回動自在に収納されて接続されている。【０００４】そして、上記する羽根車１０’付でのモーター２’が回動することで吸込み筒体９’の底面に吸込み口８’が開口し、スイッチングされたモーター２’の回動する主軸に差込まれた羽根車１０’が高速に回転し、その吸込み口８’から灯油（液体）が吸込まれてモーター２’の外周のスペースを通過し、中空状１ａ’を移動して、注出口５’の開口部をもつ注出通路１０２を通過して外部に注出される。この場合灯油に限定されず他の液体の汲取りにも利用される。【０００５】また、まれにペットボトル飲料で例えば２リットルサイズの口部Ａａに吸込みパイプ１’が差込まれて、ペットボトルＡ外部に設けたケース本体７にポンプ体を設けてペットボトルＡ内には吸込みパイプ１のみが差込まれた構成である。（図示せず）
【発明が解決しようとする課題】
【０００６】しかしながら上記する従来技術での液体を吸込むためのモーターポンプの構成は図５で示すように筒状の底に吸込み口８’のある吸込み筒体９’の内部にポンプ用のモーター２’とその主軸に差込まれて回動自在な液状を吸込むための羽根車１０’が一体化して収納されることで吸込み筒体９’の直径のサイズがおのづから太くなるためペットボトルＡの細い口部Ａａに吸込みパイプ１’の先端に設けた吸込み筒体９’が差込めないという課題がある。
【０００７】そして更に液体の中にポンプ用のモーター２’が入ったままになっていることで、モーターの完全防水の構造にしない限りモーター２’に支障をきたすことで、防水構造のため、益々吸込み筒体９’の内部を広くしなければならないという課題がある。
【０００８】このようにペットボトルＡのもつ口部Ａａの孔の大きさより更に小さい吸込み筒体９’が要求されるため、その吸込み筒体９’に収納する防水タイプのモーター２’は限りなく小型化されるため、原理的にモーター２’の小型化に伴ってモーター主軸のトルク（回転力）が低下することでペットボトルＡの飲料Ｂなどを吸込むための所定のトルクを出すことが現状では困難であるという課題ががある。
【０００９】次に家庭用の冷蔵庫でのペットボトルＡ飲料Ｂを冷やすために収容するスペースは小型化され、特にペットボトルＡの２リットルの全高にはほとんど余裕がないため、主要部品を収納するためのケース本体７’の直径や全高に制約があり小型、薄型化にしなければならないという課題がある。
【００１０】まれに、ペットボトルＡの飲料Ｂを吸込むためのペットボトルＡ用のポンプが存在するがペットボトルＡの口部Ａａから差込まれるのは単なる細長い吸込みパイプ１’のパイプ１’のみでポンプ本体は羽根車１０’を回動するモーターポンプでない、空気ポンプから使用されケース本体７’に内設されることで大型化された主要部品を収納するケース本体７’は家庭用の冷蔵庫のペットボトルＡを入れるスペースにペットボトルＡにセットしたままの状態では、ポンプの全高が高すぎて入らないという課題がある。
【００１１】このように、ペットボトルＡの飲料Ｂを冷やされた状態のままにペットボトル用ポンプが冷蔵庫の中にあって冷蔵庫のドアを開いた状態で、ペットボトルＡを移動させずに、利用者がコップをそのペットボトル用ポンプに近づけて即座に冷たい飲料Ｂをコップに吸込みの出来る冷蔵庫収容ままに使えるペペットボトル用ポンプが強く要望されていた。
【課題を解決するための手段】
【００１２】この発明はかかる課題を解決するために、請求項１での発明は、図１で述べるように、ペットボトルＡの外形より大きくならない程度の有底７ａ付で蓋９付のケース体７の中央部にペットボトルＡの口部Ａａにねじ込み自在の係止部を設け、その中央部には、ペットボトルＡの口部Ａａにさし込まれて飲料の通過する細長い中空体１ａでなる吸込みパイプ１が一体化されながら有底７ａ面に設けられる。
【００１３】そして、上記する中空部１ａを貫通して設けた細長い棒状の連絡体１１の端部１１ａがケース体７の有底７ａ面に取付けた乾電池４とスイッチ３などの主要部品と結線されて回動するポンプ用のモーター２の主軸にベルト２ａなどの伝達手段で連動する。
【００１４】これらの、モーター２の主軸の回動に連動した細長い棒状の連結体１１の他の先端は、このモーター２と同期して回動自在な飲料Ｂを吸込むための羽根車１０’に連動されるが、この羽根車１０は回動自在に、吸込みパイプ１の端子に一体化する筒状で底に吸込み口８を設けた吸込み筒体９に内設されて羽根車１０が回動する。
【００１５】そして、上記する吸込みパイプ１の先端に設けた吸込み筒体９の吸込み口８がペットボトルＡの飲料Ｂの最後まで汲取れる程度の吸込みパイプ１の所定の長さが決定されて配置される。
【００１６】この羽根車１０で吸込まれるペットボトルＡ内の飲料Ｂは吸込みパイプ１を通過して、略９０°方向転換の第１通路体１２を通り抜けて第２通路体１３を通過してその端子に接続した注出口５から飲料Ｂが排出される飲料Ｂの流れの一本の通路となる。
【００１７】このように請求項１での発明によってポンプ用のモーター２から分離された小型化された飲料Ｂの吸込みが羽根車１０を収容する吸込み筒体９のみでペットボトルＡの口部Ａａから差込まれることになりモーター２の形状は口部Ａａの孔の大きさに関係なく、ペットボトルＡの飲料Ｂを汲取るモーターポンプを実現することが出来る。
【００１８】次に請求項２での発明は、再度図１で述べるように、請求項１での第１通路体１２に延長して直結する第２通路体１３をシリコンチューブのような弾力性のある材質での中空でのパイプにし、その第２通路体１３の端子が飲料Ｂがコップに排出する注出口５と接続されることで注出口５が下方をむいて配置されるが、これらの注出口５からの排出する飲料Ｂが注出の終わった時点で飲料Ｂがたれることのないように、第２通路体１３を図１で述べるごとく、やや傾斜する構成である。
【００１９】即ち、第２通路体１３の飲料Ｂが排出が終わった瞬間に第１通路体１２の方向に逆流する傾斜にすることで第２通路体１３の飲料Ｂが空になる構成である。
【００２０】次に請求項３での発明は、図２で述べるようにペットボトルＡの底のほとんどが中央部に凸状を持つことで、谷状に残る飲料Ｂを残らずに吸込むことの出来るように吸込みパイプ１の端子と吸込み筒体９との間を弾力性でなるチューブ体１４で中継し、その中空部１ａを貫通する直線の連結体１１をコイルスプリング１５を使って回動する羽根車１０との接続によってチューブ体１４とコイルスプリング１５との双方が自在に屈曲の出来る構成である。
【００２１】次に請求項４での発明を図３で述べるに、前記する第２通路体１３の注出口５をヒンジ部６ａを介在して折り曲げ自在の注出口蓋６ｂで接合可動し、その注出口蓋６ｂの折り曲げの略９０°に準じて、第２通路体１３を折り曲げロックスナップ１６などのロック手段によって略９０°折り曲げ状態で注出口５が収納とアンロック時には第２通路体１３のシリコンチューブなどの弾力性の復元力によって自立して水平状態可能にしたものである。
【００２２】次に請求項５での発明は再度図１で述べるに、ケース本体７に具備するスイッチ３に連動するスイッチノブ３ａをケース本体７の側面に飛び出すことで、これらのプッシュスイッチでの電源閉成体での通電をコップの側面をスイッチノブ３ａに押し圧することでポンプの作動を可能にし、コップの側面の押し圧を解除することでポンプの作動を停止する構成にしたものである。
【発明を実施するための最良の形態】
【００２３】以下に図示の実施例に基づいて本発明を更に詳細に説明する。即ち図１は本発明での第１、第２実施例示す一部断面での全体斜視図である。即ち、ペットボトルＡのおねじでなる口部Ａａにねじ係合で自在にした筒状の外径がペットボトルＡの外周より大きくならない程度の片面有底７ａのついたその中央部に開口部方向に向けて直立したペットボトルＡの口部Ａａに係合するねじが一体化されて係合するケース本体７には、主要部であるモーターポンプのモーター２とそれに配線される乾電池４と更にタクトスイッチ式のスイッチ３がスイッチノブ３ａを設けて取付けられる。【００２４】そして、ケース本体７のねじのある中心部には細長く直立する吸込みパイプ１が一体化され、その中空部１ａからなる吸込みパイプ１の端部には、筒状でその底に吸込み口８のある吸込み筒体９が固定され、その外周のサイズが市販されるペットボトルＡのねじでなる口部Ａａに楽に差込み自在にした状態でペットボトルＡとケース本体７が係合自在にしている。【００２５】そしてこれらのケース本体７の有底７ａ側は蓋６と係合し閉成されるがこれらの蓋６のサイドにヒンジ部６ａを介在して矢印方向に折り畳み自在の注出口蓋６ｂが取付けられてケース本体７と一体的構成である。【００２６】これらのケース本体７に取付けられたモーターポンプのモーター２の主軸の回動はベルト２ａなどの伝達手段によって吸込みパイプ１の中空部１ａを貫通して吸込み筒体９に内設した回動自在の羽根車１０を回動するための細長い丸棒での連結体１１の中継によって、モーター２の主軸の回転が羽根車１０を遠隔回動することで、ペットボトルＡの飲料Ｂを吸込み筒体９に設けた吸込み口８から吸い上げて連結体１１の貫通する中空部１ａを通過させることになる。【００２７】そして、有底７ａに直立する吸込みパイプ１の片端の開口部は連結体１１をモーター２の主軸に並列して主軸孔を防水手段によって連結体１１の端部１１ａが吸込みパイプ１の中空部１ａの外周部のベルト２ａなどの伝達手段によって行われ、これらの連結体１１と相俟って直立する吸込みパイプ１の開口部は略９０°方向に転換して有底７ａに接合しながら第１通路体１２が接続され更に注出口５を端子に設けた第２通路体１３と接続することで、ペットボトルＡの飲料Ｂが吸込み口８から吸込まれて一本の通路となる吸込みパイプ１を通過し外部に飲料Ｂがもれない構成で第１通路体１２を通過し、第２通路体１３を通って注出口５の開口部から飲料Ｂはスムーズに排出される。【００２８】次に本発明の第２実施例について再度図１にて述べる。
即ち、飲料Ｂの通過する吸込みパイプ１に接続する第１通路体に直結する第２通路体１３を弾力性のあるシリコン樹脂材でなるチューブにして、それに接合する注出口５が、その第２通路体１３をやや傾斜Ｑに配置することで注出口５からの飲料Ｂの注出が終わった時点で、第２通路体１３に残留した飲料Ｂが瞬時第１通路体１２方向に逆流することで、注出口５からの飲料Ｂの口だれを防止する構成である。【００２９】次に本発明での第３実施例について図２での一部断面要部斜視図で述べる。即ち、ケース本体７の有底７ａから下部に向けて直立する吸込みパイプ１の端子に直結された吸込み筒体９との中間にシリコン樹脂材などでなる弾力性のあるチューブ体１４を屈曲自在に設けたそのチューブ体１４の中空部１ａを貫通する屈曲自在の密着巻でのコイルスプリング１５を設けて前記する連結体１１に接続して回動する羽根車１０の軸との中間にチューブ体１４の長さに近似して設けることで吸込みパイプ１の端を屈曲自在にしている。【００３０】このように、一本の吸い込みパイプ１は途中に屈曲自在のチューブ体１４を中継して羽根車１０の収容する吸込み筒体１３に接続されることでペットボトルＡの底に存在する凸状から離れて凹部に残る飲料Ｂを残さず注出の出来る構成である。【００３１】次に本発明での第４実施例を図３での一部断面での要部斜視図で述べる。即ち、前記する弾力性のあるチューブでなる第２通路体１３の端子に接合する注出口５は、ケース本体７の有底７ａ面上７ｂに設けてなる蓋６ｂのサイドにヒンジ部６ａを介在して折り曲げ自在の注出口蓋６ｂが注出口５の側面と接合可動し、その注出口蓋６ｂを水平状態から略９０°折り曲げ時、これらの注出口蓋６ｂと注出口５の双方の動きが、弾力性のあるロックスナップ１６などのロック手段によって注出口がロックし、ロック解除によって略９０°の折り曲げが第２通路体１３のもつ復元力のスプリング的効果によって自立して水平状態が持続される構成である。【００３２】次に本発明での第５実施例を再度図１．図４での一部断面での全体斜視図にて述べる。第２通路体１３の端子に結合する注出口５の開口部からの飲料Ｂをコップに注ぎ込むのに、その利用するコップ側面の押し圧によってケース本体７に内蔵するタクトスイッチ３に一体化するスイッチノブ３ｂがペットボトルＡの側面に露出し、注出口５に近接するこれらのスイッチノブ３ｂがコップで押されたままの状態でスイッチ３が閉成体になることでポンプが作動し、コップの開口部にそのままの状態で注出口から飲料Ｂが注ぎ込まれる構成である。【００３３】そして、コップにためられた飲料Ｂを見計らってスイッチノブ３ｂの押し圧を解除することでスイッチ式でのスイッチ３が開成体になることででポンプの作動が停止し、飲料Ｂの注出がストップすることになる。【００３４】このように、本発明でのペットボトル用ポンプは家庭用での冷蔵庫に収納したままの状態で、冷蔵庫のドアを開けた状態で瞬時注出口５のロックを解除して、ペットボトルＡに詰込まれた冷たい飲物Ｂをコップに注ぎ込んで口にすることが出来る便利さがポイントになるが、勿論のことこれらのペットボトルにポンプはテーブルの上にのせたペットボトルＡの飲物Ｂも同様コップ��注ぎ込むことは出来る冷蔵庫外での使用は当然可能である。
【発明の効果】
【００３５】本発明は、上述の通り構成作用するので次の優れた効果を奏する。本実施例で述べるように市販されるペットボトルの飲物を冷蔵庫で夏場に冷やしておいしく飲むのに、ペットボトルのキャップをとりはずして本発明でのポンプをセットしたままの状態で冷蔵庫の収納部に入れた状態で、利用者が冷蔵庫からわざわざペットボトルを取出してテーブル上などに移動してコップに注ぎ出すことのない冷蔵庫にペットボトルを収納したまま利用できる冷蔵庫収納ままに使えるペットボトル用ポンプを提供出来る。
【００３６】そしてまた、第２実施例では、コップに注ぎ終わった後に注出口から飲料の口だれのない冷蔵庫を汚すことのない冷蔵庫収容ままに使えるペットボトル用ポンプを提供出来る。
【００３７】そしてまた、第３実施例では、吸込みパイプの先端に接続して、飲料を吸込む羽根車の入っている吸込み筒体の部分が自在に左右に湾曲することで、ペットボトルの底に残ったすみずみまでの飲料が吸込むことの出来る冷蔵庫収容ままに使えるペットボトル用ポンプを提供出来る。更にペットボトルの全長がやや短かめのものでも吸込みパイプの先端が湾曲することでペットボトルと整合性のあるポンプを提供出来る。
【００３８】次にまた、第４実施例では、注出口が使用後に９０°折り曲げが出来ることで完全に第２通路体が遮断されるため、スイッチの誤使用にてそのスイッチが閉成体になって電源が入っても注出口から飲料が突然飛び出すことのない、且つ注出口の折り曲げ解除時は第２通路体の復元力の働きで瞬時注出口が起立することの出来る冷蔵庫収容ままに使えるペットボトル用ポンプを提供出来る。
【００３９】更にまた、第５実施例ではプッシュスイッチが注出口に近接してペットボトルの側面に露出することでコップをもったままで解除された注出口にコップを向けて、そのコップの外周でスイッチノブを押したまま飲料を汲取ることの出来る冷蔵庫収容ままに使えるペットボトル用ポンプを提供出来る。
【００４０】このように、ペットボトルの飲物を吸上げるためのポンプを利用するたびごとにペットボトルから着脱不要の蔵庫収容ままに使えるペットボトル用ポンプを提供出来る。
【図面の簡単な説明】
【図１】本発明に係る第１及び第２実施例での一部断面で全体を示す斜視図である。
【図２】本発明に係わる第３実施例での一部断面での要部斜視図である。
【図３】（ａ）図は本発明に係る第４実施例での要部斜視図である。（ｂ）図は本発明に係る第４実施例での折り曲げた状態での要部斜視図である。
【図４】本発明に係る冷蔵庫での使用例を示す全体斜視図である。
【図５】従来技術での灯油用給油ポンプの一部断面での全体斜視図である。
【符号の説明】
Ａ            ペットボトル
Ａａ          口部
１．１’      吸込みパイプ
１ａ．１ａ’  中空部
２．２’      モーター
２ａ          ベルト
３．３’      スイッチ
３ａ．３ａ’  スイッチノブ
４．４’      乾電池
５．５’      注出口
６．６’      蓋
６ａ          ヒンジ部
６ｂ          注出口
７．７’      ケース本体
７ａ          有底
８．８’      吸込み口
９．９’      吸込み筒体
１０．１０’  羽根車
１１          連結体
１１ａ        端部
１２          第１通路体
１３          第２通路体
１４          チューブ体
１５          コイルスプリング
１６          ロックスナップ
１０１        リード線
１０２        注出通路
【図１】
2005042691.tif 000003
【図２】
2005042691.tif 000004
【図３】
2005042691.tif 000005
【図４】
2005042691.tif 000006
【図５】
2005042691.tif 000007